(57)【要約】【課題】顔の中心がセンタリングされた証明写真を容易に切り取ることができる証明写真撮影装置を提供する。【解決手段】被撮影者Ｍの顔の横方向における中心がセンタリングされた証明写真画像データを作成するセンタリングプログラム１６３を実行した制御部１１と、センタリングプログラム１６３を実行した制御部１１により作成された証明写真画像データを方眼紙画像データに貼り付けて合成した合成画像データを生成する合成プログラム１６４を実行した制御部１１と、当該生成された合成画像データに基づく合成画像を、所定の用紙にプリントするプリンタ部８０と、を備え、方眼紙画像データには、証明写真画像の横方向における中心を示す位置にプリントされる横センタリングマークに関するデータを含むよう構成した。【選択図】図２
2007241793.tif 000002
【特許請求の範囲】
【請求項１】
被撮影者の顔を撮影して顔画像データを生成する撮影手段と、
前記撮影手段により生成された顔画像データから、前記被撮影者の顔の横方向における中心位置を検出する検出手段と、
前記検出手段により検出された前記被撮影者の顔の横方向における中心位置に基づいて、前記顔画像データから前記被撮影者の顔の横方向における中心がセンタリングされた証明写真画像データを作成するセンタリング手段と、
前記センタリング手段により作成された証明写真画像データを方眼紙画像データに貼り付けて合成した合成画像データを生成する合成手段と、
前記証明写真画像データに基づく証明写真画像と、当該証明写真画像の周囲に配置された前記方眼紙画像データに基づく方眼紙画像と、を含む、前記合成手段により生成された合成画像データに基づく合成画像を、所定の用紙にプリントするプリント手段と、を備え、
前記方眼紙画像データには、前記証明写真画像の横方向における中心を示す位置にプリントされる横センタリングマークに関するデータが含まれていることを特徴とする証明写真撮影装置。
【請求項２】
請求項１に記載の証明写真撮影装置において、
前記方眼紙画像中の縦の罫線は、太罫線と当該太罫線よりも細い細罫線とからなり、
前記合成手段は、前記証明写真画像の横方向における中心が、前記方眼紙画像中の縦の太罫線に略一致してプリントされるように、前記証明写真画像データを前記方眼紙画像データに貼り付けることを特徴とする証明写真撮影装置。
【請求項３】
請求項１又は２に記載の証明写真撮影装置において、
前記合成手段は、前記証明写真画像の縁部が、前記方眼紙画像中の縦及び横の罫線に略一致してプリントされるように、前記証明写真画像データを前記方眼紙画像データに貼り付けることを特徴とする証明写真撮影装置。
【請求項４】
請求項１〜３の何れか一項に記載の証明写真撮影装置において、
前記方眼紙画像データには、前記証明写真画像の縦方向における中心を示す位置にプリントされる縦センタリングマークに関するデータが含まれていることを特徴とする証明写真撮影装置。
【請求項５】
請求項１〜４の何れか一項に記載の証明写真撮影装置において、
前記方眼紙画像データに、前記証明写真画像の切取サイズに応じた位置にプリントされる切取位置マークに関する切取位置マークデータを付与する切取位置マークデータ付与手段を備えることを特徴とする証明写真撮影装置。
【請求項６】
請求項５に記載の証明写真撮影装置において、
前記切取サイズを指定する指定手段を備え、
前記切取位置マーク付与手段は、前記指定手段により指定された切取サイズに応じた位置にプリントされる切取位置マークに関する切取位置マークデータを、前記方眼紙画像データに付与することを特徴とする証明写真撮影装置。
【請求項７】
請求項５又は６に記載の証明写真撮影装置において、
前記切取位置マークデータ付与手段は、前記切取サイズが複数の場合には、プリントされた切取位置マークが切取サイズ毎に識別可能となるような切取位置マークデータを、前記方眼紙画像データに付与することを特徴とする証明写真撮影装置。
【請求項８】
請求項１〜７の何れか一項に記載の証明写真撮影装置において、
前記方眼紙画像データに、前記証明写真画像における前記被撮影者の顔範囲を示す位置にプリントされる顔範囲マークに関する顔範囲マークデータを、前記方眼紙画像データに付与する顔範囲マークデータ付与手段を備えることを特徴とする証明写真撮影装置。
【請求項９】
請求項１〜８の何れか一項に記載の証明写真撮影装置において、
前記方眼紙画像データには、前記証明写真画像のサイズに応じた複数のフォーマットがあり、
前記証明写真画像のサイズに応じて、前記複数のフォーマットの中から一のフォーマットを選択する選択手段を備え、
前記合成手段は、前記証明写真画像データを、前記選択手段により選択された一のフォーマットに対応する方眼紙画像データに貼り付けて合成した合成画像データを生成することを特徴とする証明写真撮影装置。
【発明の詳細な説明】
【技術分野】
【０００１】
本発明は、証明写真撮影装置に関する。
【背景技術】
【０００２】
従来、証明写真撮影装置においては、例えば、撮影した顔画像から被撮影者の顔位置を検出することができるようになっており、これによって、被撮影者の顔の横方向における中心がセンタリングされた証明写真や、被撮影者の顔サイズが調整された証明写真などを、自動的にプリントすることができるようになっている（例えば、特許文献１参照。）。
【０００３】
ところで、証明写真撮影装置からは、例えば、複数の証明写真がプリントされた用紙が出力されるため、例えば、証明写真を使用するときには、当該用紙から証明写真を切り取る必要がある。
通常、証明写真撮影装置においては、証明写真のサイズを指定することができるようになっているが、指定可能なサイズが限られている場合が多く、また、プリントされた証明写真のサイズが当該指定したサイズよりも若干大きい場合が多い。したがって、証明写真を適切なサイズに切り取るためには、例えば、被撮影者の顔の中心を見極めながら定規等を用いて切取位置を予め決定しておく必要がある。そこで、複数の証明写真がプリントされた用紙の証明写真以外の余白部分に、縦及び横の罫線からなる方眼線を入れる方法が考案された。
【特許文献１】特開２００２−２７７９３３号公報
【発明の開示】
【発明が解決しようとする課題】
【０００４】
このような方眼線を入れる方法は、切取位置を決定する際に定規等を用いなくてよい点で便利であるが、被撮影者の顔の中心は不明なままである。したがって、方眼線を入れる方法を用いても、被撮影者等は、顔の中心を見極めないと、顔の中心がセンタリングされた証明写真を切り取ることができず、被撮影者等にとって煩わしいばかりか、特に、証明写真撮影装置のセンタリング機能の効果を十分に活かしきれないという問題がある。
【０００５】
本発明の課題は、顔の中心がセンタリングされた証明写真を容易に切り取ることができる証明写真撮影装置を提供することにある。
【課題を解決するための手段】
【０００６】
上記課題を解決するために、請求項１に記載の発明は、
被撮影者の顔を撮影して顔画像データを生成する撮影手段と、
前記撮影手段により生成された顔画像データから、前記被撮影者の顔の横方向における中心位置を検出する検出手段と、
前記検出手段により検出された前記被撮影者の顔の横方向における中心位置に基づいて、前記顔画像データから前記被撮影者の顔の横方向における中心がセンタリングされた証明写真画像データを作成するセンタリング手段と、
前記センタリング手段により作成された証明写真画像データを方眼紙画像データに貼り付けて合成した合成画像データを生成する合成手段と、
前記証明写真画像データに基づく証明写真画像と、当該証明写真画像の周囲に配置された前記方眼紙画像データに基づく方眼紙画像と、を含む、前記合成手段により生成された合成画像データに基づく合成画像を、所定の用紙にプリントするプリント手段と、を備え、
前記方眼紙画像データには、前記証明写真画像の横方向における中心を示す位置にプリントされる横センタリングマークに関するデータが含まれていることを特徴とする。
【０００７】
請求項２に記載の発明は、
請求項１に記載の証明写真撮影装置において、
前記方眼紙画像中の縦の罫線は、太罫線と当該太罫線よりも細い細罫線とからなり、
前記合成手段は、前記証明写真画像の横方向における中心が、前記方眼紙画像中の縦の太罫線に略一致してプリントされるように、前記証明写真画像データを前記方眼紙画像データに貼り付けることを特徴とする。
【０００８】
請求項３に記載の発明は、
請求項１又は２に記載の証明写真撮影装置において、
前記合成手段は、前記証明写真画像の縁部が、前記方眼紙画像中の縦及び横の罫線に略一致してプリントされるように、前記証明写真画像データを前記方眼紙画像データに貼り付けることを特徴とする。
【０００９】
請求項４に記載の発明は、
請求項１〜３の何れか一項に記載の証明写真撮影装置において、
前記方眼紙画像データには、前記証明写真画像の縦方向における中心を示す位置にプリントされる縦センタリングマークに関するデータが含まれていることを特徴とする。
【００１０】
請求項５に記載の発明は、
請求項１〜４の何れか一項に記載の証明写真撮影装置において、
前記方眼紙画像データに、前記証明写真画像の切取サイズに応じた位置にプリントされる切取位置マークに関する切取位置マークデータを付与する切取位置マークデータ付与手段を備えることを特徴とする。
【００１１】
請求項６に記載の発明は、
請求項５に記載の証明写真撮影装置において、
前記切取サイズを指定する指定手段を備え、
前記切取位置マーク付与手段は、前記指定手段により指定された切取サイズに応じた位置にプリントされる切取位置マークに関する切取位置マークデータを、前記方眼紙画像データに付与することを特徴とする。
【００１２】
請求項７に記載の発明は、
請求項５又は６に記載の証明写真撮影装置において、
前記切取位置マークデータ付与手段は、前記切取サイズが複数の場合には、プリントされた切取位置マークが切取サイズ毎に識別可能となるような切取位置マークデータを、前記方眼紙画像データに付与することを特徴とする。
【００１３】
請求項８に記載の発明は、
請求項１〜７の何れか一項に記載の証明写真撮影装置において、
前記方眼紙画像データに、前記証明写真画像における前記被撮影者の顔範囲を示す位置にプリントされる顔範囲マークに関する顔範囲マークデータを、前記方眼紙画像データに付与する顔範囲マークデータ付与手段を備えることを特徴とする。
【００１４】
請求項９に記載の発明は、
請求項１〜８の何れか一項に記載の証明写真撮影装置において、
前記方眼紙画像データには、前記証明写真画像のサイズに応じた複数のフォーマットがあり、
前記証明写真画像のサイズに応じて、前記複数のフォーマットの中から一のフォーマットを選択する選択手段を備え、
前記合成手段は、前記証明写真画像データを、前記選択手段により選択された一のフォーマットに対応する方眼紙画像データに貼り付けて合成した合成画像データを生成することを特徴とする。
【発明の効果】
【００１５】
請求項１に記載の発明によれば、方眼紙画像データには横センタリングマークに関するデータが含まれているため、証明写真画像の横方向における中心を示す位置、すなわち、被撮影者の顔の横方向における中心を示す位置に、横センタリングマークがプリントされることとなって、被撮影者等は、顔の中心がセンタリングされた証明写真を容易に切り取ることができる。
【００１６】
請求項２に記載の発明によれば、請求項１に記載の発明と同様の効果が得られることは無論のこと、合成手段は、証明写真画像の横方向における中心が、方眼紙画像中の縦の太罫線に略一致してプリントされるように、証明写真画像データを方眼紙画像データに貼り付けることができるため、横センタリングマークから切取位置までの目盛りが数え易い。
【００１７】
請求項３に記載の発明によれば、請求項１又は２に記載の発明と同様の効果が得られることは無論のこと、合成手段は、証明写真画像の縁部が、方眼紙画像中の縦及び横の罫線に略一致してプリントされるように、証明写真画像データを方眼紙画像データに貼り付けることができるため、証明写真画像の縁部から切取位置までの目盛りが数え易い。
【００１８】
請求項４に記載の発明によれば、請求項１〜３の何れか一項に記載の発明と同様の効果が得られることは無論のこと、方眼紙画像データには、証明写真画像の縦方向における中心を示す位置にプリントされる縦センタリングマークに関するデータが含まれているため、被撮影者等は、証明写真画像の縦方向における切取位置を容易に定めることができる。
【００１９】
請求項５に記載の発明によれば、請求項１〜４の何れか一項に記載の発明と同様の効果が得られることは無論のこと、切取位置マークデータ付与手段は、方眼紙画像データに、証明写真画像の切取サイズに応じた位置にプリントされる切取位置マークに関する切取位置マークデータを付与することができるため、切取位置を定める際に目盛りを数える必要がなくなって、利便性が高い。
【００２０】
請求項６に記載の発明によれば、請求項５に記載の発明と同様の効果が得られることは無論のこと、被撮影者は、指定手段により切取サイズを指定することができ、切取位置マーク付与手段は、指定手段により指定された切取サイズに応じた位置にプリントされる切取位置マークに関する切取位置マークデータを、方眼紙画像データに付与することができるため、被撮影者所望の切取位置に切取位置マークがプリントされることとなって、使い勝手がよい。
【００２１】
請求項７に記載の発明によれば、請求項５又は６に記載の発明と同様の効果が得られることは無論のこと、切取位置マークデータ付与手段は、切取サイズが複数の場合には、プリントされた切取位置マークが切取サイズ毎に識別可能となるような切取位置マークデータを、方眼紙画像データに付与することができるため、被撮影者による切取位置マークの見誤りを防止することができることとなって、より使い勝手がよい。
【００２２】
請求項８に記載の発明によれば、請求項１〜７の何れか一項に記載の発明と同様の効果が得られることは無論のこと、顔範囲マークデータ付与手段は、方眼紙画像データに、証明写真画像における被撮影者の顔範囲を示す位置にプリントされる顔範囲マークに関する顔範囲マークデータを、方眼紙画像データに付与することができるため、証明写真画像を切り取る際に、被撮影者が顔部分を誤って切ってしまうことを防止することができることとなって、より一層使い勝手がよい。
【００２３】
請求項９に記載の発明によれば、請求項１〜８の何れか一項に記載の発明と同様の効果が得られることは無論のこと、方眼紙画像データには、証明写真画像のサイズに応じた複数のフォーマットがあるため、様々な用途に対応するこことができることとなって、より利便性が高い。
【発明を実施するための最良の形態】
【００２４】
以下、図を参照して、本発明にかかる証明写真撮影装置の最良の形態を詳細に説明する。なお、発明の範囲は、図示例に限定されない。
【００２５】
＜証明写真撮影装置の構成＞
まず、証明写真撮影装置１の構成について説明する。
証明写真撮影装置１は、例えば、図１に示すように、ボックス型に形成されており、例えば、証明写真撮影装置１の外壁には、プリントされた証明写真を取り出すための取出口８１が設置されている。
また、例えば、証明写真撮影装置１の内部には、撮影室１ａが設置されている。
【００２６】
撮影室１ａには、例えば、被撮影者Ｍが座る椅子１ｂが回転可能に備えられており、椅子１ｂは回転によって昇降するように構成されている。
また、例えば、撮影室１ａにおける被撮影者Ｍの上方、正面及び背面に相当する位置には、それぞれ照明用のストロボ２０ａが設置されている。
また、例えば、撮影室１ａにおける被撮影者Ｍの正面に相当する位置には、操作手順等の撮影に関する各種画面や撮影された証明写真画像などを表示するための表示部４０と、被撮影者Ｍが撮影室１ａ内に入室したことを検出するための入室センサ５０と、撮影料金を精算するためのコインメック６０と、被撮影者Ｍが操作指示を入力するための操作ボタン７０ａやタッチパネル７０ｂと、などが設置されている。
【００２７】
証明写真撮影装置１は、例えば、図２に示すように、本体部１０と、ストロボユニット２０と、デジタルカメラ３０と、表示部４０と、入室センサ５０と、コインメック６０と、操作部７０と、プリンタ部８０と、などを備えて構成されている。
【００２８】
ストロボユニット２０は、例えば、本体部１０から入力される制御信号に従って、撮影室１ａ内の各位置に設置されたストロボ２０ａの発光タイミングや発光量を制御する。
【００２９】
デジタルカメラ３０は、例えば、光学レンズと、ＣＣＤ（Charge Coupled Device）やＣＭＯＳ（Complementary Metal-Oxide Semiconductor）など撮像素子と、Ａ／Ｄ変換部と、などから構成されている。
デジタルカメラ３０は、例えば、本体部１０から入力される制御信号に従って、光学レンズを介して入力された被写体像を撮像素子により光電変換してアナログ画像信号を生成し、そして、Ａ／Ｄ変換部により当該アナログ画像信号からデジタルの画像データ（顔画像データ）を生成して、当該顔画像データを本体部１０に出力する。
なお、デジタルカメラ３０に代えて、動画を記録可能なデジタルビデオカメラを適用するようにしてもよい。
【００３０】
表示部４０は、例えば、ＬＣＤ（Liquid Crystal Display）パネル等から構成されており、例えば、本体部１０から入力される表示信号に従って、所与の表示処理を行う。
【００３１】
入室センサ５０は、例えば、被撮影者Ｍが撮影室１ａ内に入室したことを検出するためのものであり、被撮影者Ｍの入室を検出すると、その検出信号を本体部１０に出力する。
なお、入室センサ５０としては、例えば、発光器と受光器とからなる光学式センサ等が適用可能である。
【００３２】
コインメック６０は、例えば、硬貨や紙幣の入金口や釣銭の返金口などを備えた金銭登録機である。コインメック６０は、例えば、入金口から入金された金額に関する情報を本体部１０に出力するとともに、本体部１０から入力された制御信号に従って釣銭額に応じた硬貨や紙幣を返金口に排出する。
【００３３】
操作部７０は、例えば、撮影室１ａの内壁に備えられた操作ボタン７０ａや、表示部４０と一体的に構成されたタッチパネル７０ｂなどから構成されており、例えば、被撮影者Ｍによる操作に伴う押下信号を本体部１０に出力する。
具体的には、操作部７０は、例えば、指定手段として、被撮影者Ｍが、切取サイズ（後述）を指定する際に使用される。
また、操作部７０は、例えば、選択手段として、被撮影者Ｍが、証明写真画像Ｐのサイズに応じて、複数ある方眼紙画像データのフォーマット（後述）の中から一のフォーマットを選択する際に使用される。
【００３４】
プリンタ部８０は、例えば、プリント手段として、本体部１０から入力される制御信号に従って、証明写真画像データに基づく証明写真画像Ｐ（例えば、履歴書・証明用の証明写真画像Ｐ１、パスポート用の証明写真画像Ｐ２、免許証・証明用の証明写真画像Ｐ３、中型・大型証明用の証明写真画像Ｐ４など）と、証明写真画像Ｐの周囲に配置された方眼紙画像データに基づく方眼紙画像Ｑ（履歴書・証明用の方眼紙画像Ｑ１、パスポート用の方眼紙画像Ｑ２、免許証・証明用の方眼紙画像Ｑ３、中型・大型証明用の方眼紙画像Ｑ４など）と、を含む、合成プログラム１６４を実行した制御部１１（後述）により生成された合成画像データに基づく合成画像Ｒを、所定の用紙Ｔにプリントする。
なお、プリンタ部８０のプリント方式としては、昇華型熱転写方式や、溶融転写記録方式、電子写真方式、インクジェット方式などを適用してもよいし、その他のプリント方式を適用してもよい。また、銀塩写真像を形成する方式を適用してもよい。
【００３５】
本体部１０は、例えば、制御部１１と、Ｉ／Ｏ（Input/Output）コントロール１２と、Ｉ／Ｆ（InterFace）１３と、ＤＶＤ（Digital Versatile Disk）記憶部１４と、ＲＡＭ（Random Access Memory）１５と、ＲＯＭ（Read Only Memory）１６と、などを備えて構成されている。そして、本体部１０は、例えば、Ｉ／Ｏコントロール１２を介して、ストロボユニット２０や、コインメック６０、操作部７０などと接続しており、Ｉ／Ｆ１３を介して、プリンタ部８０などと接続している。
【００３６】
制御部１１は、例えば、証明写真撮影装置１の各部を集中制御する。
具体的には、制御部１１は、例えば、ＲＯＭ１６に記憶された証明写真撮影装置１用の各種処理プログラムに従って各種の制御動作を行う。
【００３７】
Ｉ／Ｏコントロール１２は、ストロボユニット２０や、コインメック６０、操作部７０などとの間で各種情報を入出力するためのインターフェイスである。
【００３８】
Ｉ／Ｆ１３は、例えば、プリンタ部８０との間で各種情報を入出力するためのインターフェイスである。
【００３９】
ＤＶＤ記憶部１４は、例えば、デジタルカメラ３０により撮影されて生成された顔画像データと、センタリングプログラム１６３を実行した制御部１１（後述）により作成された証明写真画像データ（後述）と、合成プログラム１６４を実行した制御部１１（後述）により生成された合成画像データ（後述）と、表示部４０に表示される各種画面の画像データと、などを記憶している。
【００４０】
ＲＡＭ１５は、制御部１１によって実行される処理プログラムなどを展開するためのプログラム格納領域や、入力データや上記処理プログラムが実行される際に生じる処理結果などを格納するデータ格納領域などを備える。
【００４１】
ＲＯＭ１６は、証明写真撮影装置１で実行可能なシステムプログラム、当該システムプログラムで実行可能な各種処理プログラム、これら各種処理プログラムを実行する際に使用されるデータ、制御部１１によって演算処理された処理結果のデータなどを記憶する。なお、プログラムは、コンピュータが読み取り可能なプログラムコードの形でＲＯＭ１６に記憶されている。
具体的には、ＲＯＭ１６は、例えば、方眼紙画像データを記憶している。
【００４２】
方眼紙画像データは、方眼紙画像Ｑに関するデータであり、方眼紙画像データには、例えば、証明写真画像Ｐのサイズに応じた複数のフォーマットがある。
具体的には、方眼紙画像データには、例えば、用途「一般履歴書」に対応するフォーマット「履歴書・証明用の証明写真画像Ｐ１のサイズ（「縦4.5cm×横3.6cm」）に応じた方眼紙画像データ」と、用途「パスポート申請」に対応するフォーマット「パスポート用の証明写真画像Ｐ２のサイズ（「縦4.7cm×横4.2cm」）に応じた方眼紙画像データ」と、用途「自動車運転免許」に対応するフォーマット「免許証・証明用の証明写真画像Ｐ３のサイズ（「縦3.5cm×横2.8cm」）に応じた方眼紙画像データ」と、フォーマット「中型・大型証明用の証明写真画像Ｐ４（中型証明用の証明写真画像Ｐ４１及び大型証明用の証明写真画像Ｐ４２）のサイズ（「縦5.6cm×横4.8cm」及び「縦7cm×横6cm」）に応じた方眼紙画像データ」と、の４つのフォーマットがある。
ここで、フォーマット「履歴書・証明用の証明写真画像Ｐ１のサイズに応じた方眼紙画像データ」に基づく方眼紙画像を図３に示し、フォーマット「パスポート用の証明写真画像Ｐ２のサイズに応じた方眼紙画像データ」に基づく方眼紙画像を図４に示し、フォーマット「免許証・証明用の証明写真画像Ｐ３のサイズに応じた方眼紙画像データ」を図５に示し、フォーマット「中型・大型証明用の証明写真画像Ｐ４に応じた方眼紙画像データ」に基づく方眼紙画像を図６に示す。
【００４３】
本実施の形態の証明写真画像Ｐのサイズは、実際の証明写真のサイズよりも若干大きく設定されている。
具体的には、例えば、用途「一般履歴書」の証明写真のサイズは「縦4.0cm×横3.0cm」であるのに対し、履歴書・証明用の証明写真画像Ｐ１のサイズは「縦4.5cm×横3.6cm」（図３）と設定されている。
また、例えば、用途「パスポート申請」の証明写真のサイズは「縦4.5cm×横3.5cm」であるのに対し、パスポート用の証明写真画像Ｐ２のサイズは「縦4.7cm×横4.2cm」（図４）と設定されている。
また、例えば、用途「自動車運転免許」の証明写真のサイズは「縦3.0cm×横2.4cm」であるのに対し、免許証・証明用の証明写真画像Ｐ３のサイズは「縦3.5cm×横2.8cm」（図５）と設定されている。
【００４４】
方眼紙画像Ｑ中の縦の罫線Ｌ１，…は、例えば、図３〜６に示すように、縦の太罫線Ｌ１１，…と、縦の太罫線Ｌ１１，…よりも細い縦の細罫線Ｌ１２，…とからなっており、同様に、方眼紙画像Ｑ中の横の罫線Ｌ２，…も、例えば、横の太罫線Ｌ２１，…と、横の太罫線Ｌ２１，…よりも細い横の細罫線Ｌ２２，…とからなっている。
例えば、縦の細罫線Ｌ１２，…及び横の細罫線Ｌ２２，…は１mm間隔毎に、縦の太罫線L１１，…及び横の太罫線L１２，…は、５mm間隔毎に配置されている。
【００４５】
方眼紙画像データには、例えば、図３〜６に示すように、証明写真画像Ｐの横方向における中心Ｐ１（図７参照）を示す位置にプリントされる横センタリングマークＡ，…に関するデータと、証明写真画像Ｐの縦方向における中心Ｐ２（図７参照）を示す位置にプリントされる縦センタリングマークＢ，…に関するデータと、が含まれている。
証明写真画像Ｐに関する証明写真画像データは、例えば、合成プログラム１６４を実行した制御部１１（後述）により、方眼紙画像データの予め決められた位置に決められた個数だけ貼り付けられるようになっている。したがって、方眼紙画像Ｑ中における横センタリングマークＡ，…の位置及び縦センタリングマークＢ，…の位置は、方眼紙画像データのフォーマット毎に一律に決まっている。
【００４６】
また、ＲＯＭ１６は、例えば、図２に示すように、撮影プログラム１６１、検出プログラム１６２と、センタリングプログラム１６３と、合成プログラム１６４と、付与プログラム１６５と、などを記憶している。
【００４７】
撮影プログラム１６１は、例えば、デジタルカメラ３０を介して、被撮影者Ｍの顔を撮影して顔画像データを生成する機能を、制御部１１に実現させる。
具体的には、制御部１１は、例えば、被撮影者Ｍによる操作部７０の操作によって、撮影を実行するよう指示されると、Ｉ／Ｏコントロール１２を介してストロボユニット２０を制御するとともに、デジタルカメラ３０を制御して、被撮影者Ｍの顔を撮影して顔画像データを生成する。
ここで、撮影手段は、例えば、デジタルカメラ３０と、撮影プログラム１６１を実行した制御部１１と、によって構成される。
【００４８】
検出プログラム１６２は、例えば、撮影プログラム１６１を実行した制御部１１及びデジタルカメラ３０により生成された顔画像データから、被撮影者Ｍの顔の横方向における中心位置を検出する機能を、制御部１１に実現させる。
具体的には、制御部１１は、例えば、撮影プログラム１６１を実行した制御部１１により生成された顔画像データに所定の顔位置検出処理を施して、被撮影者Ｍの顔における所定位置（例えば、図７に示すような、左顔エッジを示す位置Ｅ１と、右顔エッジを示す位置Ｅ２と、頭頂部を示す位置Ｅ３と、下顎部を示す位置Ｅ４と、など）を検出することによって、被撮影者Ｍの顔の横方向における中心位置や被撮影者Ｍの顔範囲を検出する。
より具体的には、制御部１１は、例えば、左顔エッジを示す位置Ｅ１と右顔エッジを示す位置Ｅ２とに基づいて、被撮影者Ｍの顔の横方向における中心位置を検出し、例えば、左顔エッジを示す位置Ｅ１と右顔エッジを示す位置Ｅ２と頭頂部を示す位置Ｅ３と下顎部を示す位置Ｅ４とに基づいて、被撮影者Ｍの顔範囲を検出する。
ここで、所定の顔位置検出処理としては、例えば、色成分の濃度差に基づいて顔位置を検出する処理等の公知の顔位置検出処理を適用することができる。
制御部１１は、かかる検出プログラム１６２を実行することによって、検出手段として機能する。
【００４９】
センタリングプログラム１６３は、例えば、検出プログラム１６２を実行した制御部１１により検出された被撮影者Ｍの顔の横方向における中心位置に基づいて、顔画像データから被撮影者Ｍの顔の横方向における中心がセンタリングされた証明写真画像データを作成する機能を、制御部１１に実現させる。
具体的には、制御部１１は、例えば、検出プログラム１６２を実行した制御部１１により検出された被撮影者Ｍの顔の横方向における中心位置に基づいて、撮影プログラム１６１を実行した制御部１１及びデジタルカメラ３０により生成された顔画像データの被撮影者Ｍの顔の横方向における中心をセンタリングするとともに、当該顔画像データに所定の証明写真画像データ作成処理を施して、証明写真画像データを作成する。
ここで、所定の証明写真画像データ作成処理としては、例えば、検出プログラム１６２を実行した制御部１１により検出された被撮影者Ｍの顔範囲が規定の範囲に収まるように、顔画像データを拡大・縮小する処理等の公知の証明写真画像データ作成処理を適用することができる。
制御部１１は、かかるセンタリングプログラム１６３を実行することによって、センタリング手段として機能する。
【００５０】
合成プログラム１６４は、例えば、センタリングプログラム１６３を実行した制御部１１により作成された証明写真画像データを、方眼紙画像データに貼り付けて合成した合成画像データを生成する機能を、制御部１１に実現させる。
具体的には、制御部１１は、例えば、被撮影者Ｍによる操作部７０の操作により選択された一のフォーマットに対応する方眼紙画像データを、ＲＯＭ１６から抽出し、例えば、図８〜１１に示すように、証明写真画像Ｐの横方向における中心Ｐ１（図７参照）が、方眼紙画像Ｑ中の縦の太罫線Ｌ１１に略一致してプリントされるように、且つ、証明写真画像Ｐの縁部Ｐａ（図７参照）が、方眼紙画像Ｑ中の縦の罫線Ｌ１及び横の罫線Ｌ２に略一致してプリントされるように、証明写真画像データを方眼紙画像データに貼り付ける。
制御部１１は、かかる合成プログラム１６４を実行することによって、合成手段として機能する。
【００５１】
付与プログラム１６５は、例えば、方眼紙画像データに、証明写真画像Ｐの切取サイズに応じた位置にプリントされる切取位置マークＣ，…に関する切取位置マークデータを付与する機能を、制御部１１に実現させる。
具体的には、制御部１１は、例えば、被撮影者Ｍの操作部７０の操作により指定された切取サイズに応じた位置にプリントされる切取位置マークＣ，…に関する切取位置マークデータを、合成プログラム１６４を実行した制御部１１により生成された合成画像データのうちの方眼紙画像データに対応する部分に付与する。
そして、制御部１１は、例えば、切取サイズが複数の場合には、プリントされた切取位置マークＣ，…が切取サイズ毎に識別可能となるような切取位置マークデータを、合成プログラム１６４を実行した制御部１１により生成された合成画像データのうちの方眼紙画像データに対応する部分に付与する。具体的には、切取位置マークＣ，…が識別可能となるように、切取サイズ毎に切取位置マークＣの形状を変えることとする。
なお、制御部１１は、例えば、切取位置マークＣ，…に従って切り取った後の画像において、当該画像の横方向における中心及び縦方向における中心が、それぞれ証明写真画像Ｐの横方向における中心Ｐ１及び縦方向における中心Ｐ２と一致するように、すなわち、切取位置マークＣ，…が横センタリングマークＡに対して左右対称（左右方向＝横方向）にプリントされるように、且つ、縦センタリングマークＢに対して上下対称（上下方向＝縦方向）にプリントされるように、切取位置マークデータを方眼紙画像データに付与する。
【００５２】
より具体的には、制御部１１は、例えば、図１２に示すような「写真の大きさ選択画面」Ｎ１を表示部４０に表示させて、被撮影者Ｍに、履歴書・証明用の証明写真画像Ｐ１と、パスポート用の証明写真画像Ｐ２と、免許証・証明用の証明写真画像Ｐ３と、中型・大型証明用の証明写真画像Ｐ４と、の中から、一の証明写真画像Ｐを指定させる。
ここで、証明写真の主な用途は、「一般履歴書」、「パスポート申請」、「自動車運転免許」の他にも様々あり、用途に応じて証明写真のサイズも複数ある。そこで、「写真の大きさ選択画面」Ｎ１において被撮影者Ｍが一の証明写真画像Ｐを選択しやすくなるように、「写真の大きさ選択画面」Ｎ１には、主な証明写真の用途を当該各用途に適合する証明写真画像Ｐ１，Ｐ２，Ｐ３，Ｐ４に対応付けて表示するようになっている。
なお、各用途に適合する証明写真画像Ｐとしては、例えば、当該用途に応じた証明写真のサイズ以上のサイズを有し、且つ、当該用途に応じた証明写真のサイズに最も近いサイズを有する証明写真画像Ｐとした。具体的には、例えば、用途「実用英語技能検定」の証明写真のサイズは「縦3.0cm×縦3.0cm」であるため、当該サイズ以上のサイズを有し、且つ、当該サイズに最も近いサイズを有する履歴書・証明用の証明写真画像Ｐ１を、用途「実用英語技能検定」に適合する証明写真画像Ｐとし、例えば、用途「国際自動車免許申請」の証明写真のサイズは「縦5.0cm×横4.0cm」であるため、当該サイズ以上のサイズを有し、且つ、当該サイズに最も近いサイズを有する中型・大型証明用の証明写真画像Ｐ４を、用途「国際自動車免許申請」に適合する証明写真画像Ｐとした。
【００５３】
次いで、「写真の大きさ選択画面」Ｎ１（図１２）において、履歴書・証明用の証明写真画像Ｐ１が指定された場合には、制御部１１は、例えば、図１３に示すような「用途選択画面（履歴書用）」Ｎ２を表示部４０に表示させて、履歴書・証明用の証明写真画像Ｐ１に適合する用途の中から一又は複数の用途を指定させる。
そして、例えば、用途「実用英語技能検定」（証明写真のサイズ「縦3.0cm×縦3.0cm」）と用途「一般履歴書」（証明写真のサイズ「縦4.0cm×縦3.0cm」）が指定されたとすると、制御部１１は、例えば、切取サイズ「縦3.0cm×縦3.0cm」に応じた位置にプリントされる切取位置マークＣ１１，…（図８）及び切取サイズ「縦4.0cm×縦3.0cm」に応じた位置にプリントされる切取位置マークＣ１２，…（図８）に関する切取位置マークデータであり、且つ、切取位置マークＣ１１，…と切取位置マークＣ１２，…とが切取サイズ毎に形状の違いにより識別可能となるような切取位置マークデータを、方眼紙画像データに付与する。
【００５４】
一方、「写真の大きさ選択画面」Ｎ１（図１２）において、パスポート用の証明写真画像Ｐ２が指定された場合には、パスポート用の証明写真画像Ｐ２に適合する用途（用途「簿記検定１級受検」、用途「外国人登録申請」、…、用途「パスポート申請」）は複数あるが、当該複数の用途に応じた証明写真のサイズは全て「縦4.5cm×横3.5cm」であるため、制御部１１は、例えば、切取サイズ「縦4.5cm×横3.5cm」に応じた位置にプリントされる切取位置マークＣ２，…（図９）に関する切取位置マークデータを、方眼紙画像データに付与する。
【００５５】
一方、「写真の大きさ選択画面」Ｎ１（図１２）において、免許証・証明用の証明写真画像Ｐ３が指定された場合には、免許証・証明用の証明写真画像Ｐ３に適合する用途（用途「自動車運転免許」）に応じた証明写真のサイズは「縦3.0cm×横2.4cm」であるため、制御部１１は、例えば、切取サイズ「縦3.0cm×横2.4cm」に応じた位置にプリントされる切取位置マークＣ３，…（図１０）に関する切取位置マークデータを、方眼紙画像データに付与する。
【００５６】
一方、「写真の大きさ選択画面」Ｎ１（図１２）において、中型・大型証明用の証明写真画像Ｐ４が指定された場合には、制御部１１は、例えば、図１４に示すような「用途選択画面（中型・大型用）」Ｎ３を表示部４０に表示させて、中型・大型証明用の証明写真画像Ｐ４に適合する用途の中から一又は複数の用途を指定させる。
そして、例えば、用途「国際自動車免許申請」（証明写真のサイズ「縦5.0cm×横4.0cm」）と用途「建築士免許」（証明写真のサイズ「縦5.0cm×横4.0cm」）が指定されたとすると、制御部１１は、例えば、切取サイズ「縦5.0cm×横4.0cm」に応じた位置にプリントされる切取位置マークＣ４，…（図１１）に関する切取位置マークデータを、方眼紙画像データに付与する。
【００５７】
また、付与プログラム１６５は、例えば、方眼紙画像データに、証明写真画像Ｐにおける被撮影者Ｍの顔範囲を示す位置にプリントされる顔範囲マークＤ，…に関する顔範囲マークデータを、合成プログラム１６４を実行した制御部１１により生成された合成画像データのうちの方眼紙画像データに対応する部分に付与する機能を、制御部１１に実現させる。
具体的には、制御部１１は、例えば、検出プログラム１６２を実行した制御部１１により検出された被撮影者Ｍの顔範囲を示す位置（例えば、図７に示す、左顔エッジを示す位置Ｅ１と、右顔エッジを示す位置Ｅ２と、頭頂部を示す位置Ｅ３と、下顎部を示す位置Ｅ４）にプリントされる顔範囲マークＤ，…（例えば、図８〜１１）に関する顔範囲マークデータを、方眼紙画像データに付与する。
制御部１１は、かかる付与プログラム１６５を実行することによって、切取位置マークデータ付与手段及び顔範囲マークデータ付与手段として機能する。
【００５８】
＜証明写真撮影処理＞
次に、証明写真撮影装置１による証明写真の撮影に関する処理について、図１５のフローチャートを参照して説明する。
【００５９】
まず、制御部１１は、入室センサ５０により、被撮影者Ｍが撮影室１ａ内に入室したことを検出されると、証明写真撮影装置１の省エネモードを解除して、証明室１ａ内の照明を点灯させ、料金精算処理を実行する（ステップＳ１）。
【００６０】
具体的には、制御部１１は、料金精算処理において、まず、規定料金を投入するよう促す画面を表示部４０に表示させる。
次いで、被撮影者Ｍによりコインメック６０に入金されると、制御部１１は、釣銭額を算出し、釣銭がある場合には、コインメック６０に当該釣銭を排出させて、料金の精算を行う。
【００６１】
次いで、制御部１１は、付与プログラム１６５を実行して、被撮影者Ｍに切取サイズを指定させる（ステップＳ２）。
【００６２】
具体的には、制御部１１は、まず、「写真の大きさ選択画面」Ｎ１（図１２）を表示部４０に表示させる。
【００６３】
次いで、被撮影者Ｍによる操作部７０の操作によって、「写真の大きさ選択画面」Ｎ１（図１２）において、履歴書・証明用の証明写真画像Ｐ１が指定されると、制御部１１は、フォーマット「履歴書・証明用の証明写真画像Ｐ１に応じた方眼紙画像データ」をＲＡＭ１５に記憶させて、「用途選択画面（履歴書用）」Ｎ２（図１３）を表示部４０に表示させる。
次いで、被撮影者Ｍによる操作部７０の操作によって、「用途選択画面（履歴書用）」Ｎ２（図１３）において、一又は複数の用途が指定されると、制御部１１は、当該用途に応じた切取サイズをＲＡＭ１５に記憶させる。具体的には、制御部１１は、例えば、用途「実用英語技能検定」と用途「一般履歴書」が指定されると、用途「実用英語技能検定」に応じた切取サイズ「縦3.0cm×縦3.0cm」と、用途「一般履歴書」に応じた切取サイズ「縦4.0cm×縦3.0cm」と、をＲＡＭ１５に記憶させる。
【００６４】
一方、被撮影者Ｍによる操作部７０の操作によって、「写真の大きさ選択画面」Ｎ１（図１２）において、パスポート用の証明写真画像Ｐ２が指定されると、制御部１１は、フォーマット「パスポート用の証明写真画像Ｐ２のサイズに応じた方眼紙画像データ」をＲＡＭ１５に記憶させるとともに、切取サイズ「縦4.5cm×縦3.5cm」をＲＡＭ１５に記憶させる。
【００６５】
一方、被撮影者Ｍによる操作部７０の操作によって、「写真の大きさ選択画面」Ｎ１（図１２）において、免許証・証明用の証明写真画像Ｐ３が指定されると、制御部１１は、フォーマット「免許証・証明用の証明写真画像Ｐ３のサイズに応じた方眼紙画像データ」をＲＡＭ１５に記憶させるとともに、切取サイズ「縦3.0cm×縦2.4cm」をＲＡＭ１５に記憶させる。
【００６６】
一方、被撮影者Ｍによる操作部７０の操作によって、「写真の大きさ選択画面」Ｎ１（図１２）において、中型・大型証明用の証明写真画像Ｐ４が指定されると、制御部１１は、フォーマット「中型・大型証明用の証明写真画像Ｐ４に応じた方眼紙画像データ」をＲＡＭ１５に記憶させ、「用途選択画面（中型・大型用）」Ｎ３（図１４）を表示部４０に表示させる。
次いで、被撮影者Ｍによる操作部７０によって、「用途選択画面（中型・大型用）」Ｎ３（図１４）において、一又は複数の用途が選択されると、制御部１１は、当該用途に応じた切取サイズをＲＡＭ１５に記憶させる。具体的には、制御部１１は、例えば、用途「国際自動車免許申請」と用途「建築士免許」が指定されると、これらの用途に応じた切取サイズ「縦5.0cm×横4.0cm」をＲＡＭ１５に記憶させる。
【００６７】
次いで、制御部１１は、撮影プログラム１６１を実行して、デジタルカメラ３０を介して、顔画像データを生成する（ステップＳ３）。
【００６８】
具体的には、制御部１１は、まず、撮影の実行を指示するよう促す画面を表示部４０に表示させる。
次いで、被撮影者Ｍによる操作部７０の操作によって撮影を実行するよう指示されると、制御部１１は、ストロボユニット２０を制御するとともに、デジタルカメラ３０を制御して、被撮影者Ｍの顔を撮影して顔画像データを生成し、当該顔画像データをＲＡＭ１５に記憶させる。
【００６９】
次いで、制御部１１は、検出プログラム１６２を実行して、ステップＳ３で生成されてＲＡＭ１５に記憶された顔画像データから、被撮影者Ｍの顔の横方向における中心位置を検出する（ステップＳ４）。
【００７０】
次いで、制御部１１は、センタリングプログラム１６３を実行して、ステップＳ４で検出された被撮影者Ｍの顔の横方向における中心位置に基づいて、ステップＳ３で生成されてＲＡＭ１５に記憶された顔画像データから被撮影者Ｍの顔の横方向における中心がセンタリングされた証明写真画像データを作成する（ステップＳ５）。
【００７１】
次いで、制御部１１は、合成プログラム１６４を実行して、ステップＳ２でＲＡＭ１５に記憶させたフォーマットに対応する方眼紙画像データをＲＯＭ１５から取得して、当該取得した方眼紙画像データに、ステップＳ５で作成された証明写真画像データを貼り付けて合成した合成画像データを生成する（ステップＳ６）。
【００７２】
次いで、制御部１１は、付与プログラム１６５を実行して、ステップＳ６で生成された合成画像データのうちの方眼紙画像データに対応する部分に、ステップＳ２でＲＡＭ１５に記憶させた切取サイズに応じた位置にプリントされる切取位置マークＣ，…に関する切取位置マークデータを付与するとともに（ステップＳ７）、ステップＳ４で検出された被撮影者Ｍの顔位置に基づいて、証明写真画像Ｐにおける被撮影者Ｍの顔範囲を示す位置にプリントされる顔範囲マークＤ，…に関する顔範囲マークデータを付与する（ステップＳ８）。
【００７３】
次いで、制御部１１は、プリンタ部８０に、ステップＳ６で生成されて、ステップＳ７で切取位置マークデータが付与されて、ステップＳ８で顔位置マークデータが付与された合成画像データに基づく合成画像Ｒを、所定の用紙Ｔにプリントさせて（ステップＳ９）、合成画像Ｒがプリントされた所定の用紙Ｔを取出口８１から排出させて、本処理を終了する。
【００７４】
以上説明した本発明の証明写真撮影装置１によれば、撮影プログラム１６１を実行した制御部１１及びデジタルカメラ３０によって、被撮影者Ｍの顔を撮影して顔画像データを生成することができ、検出プログラム１６２を実行した制御部１１によって、撮影プログラム１６１を実行した制御部１１及びデジタルカメラ３０により生成された顔画像データから、被撮影者Ｍの顔の横方向における中心位置を検出することができ、センタリングプログラム１６３を実行した制御部１１によって、検出プログラム１６２を実行した制御部１１により検出された被撮影者Ｍの顔の横方向における中心位置に基づいて、顔画像データから被撮影者Ｍの顔の横方向における中心がセンタリングされた証明写真画像データを作成することができ、合成プログラム１６４を実行した制御部１１によって、センタリングプログラム１６３を実行した制御部１１により作成された証明写真画像データを方眼紙画像データに貼り付けて合成した合成画像データを生成することができ、プリンタ部８０によって、証明写真画像データに基づく証明写真画像Ｐと、証明写真画像Ｐの周囲に配置された方眼紙画像データに基づく方眼紙画像Ｑと、を含む、合成プログラム１６４を実行した制御部１１により生成された合成画像データに基づく合成画像を、所定の用紙Ｔにプリントすることができ、そして、方眼紙画像データには、証明写真画像Ｐの横方向における中心を示す位置にプリントされる横センタリングマークＡ，…に関するデータが含まれている。
したがって、被撮影者Ｍの顔の横方向における中心を示す位置に、横センタリングマークＡ，…がプリントされることとなって、被撮影者Ｍ等は、顔の中心がセンタリングされた証明写真を容易に切り取ることができる。
【００７５】
また、方眼紙画像Ｑ中の縦の罫線Ｌ１は、縦の太罫線Ｌ１１と、縦の太罫線Ｌ１１より細い縦の細罫線Ｌ１２とからなり、合成プログラム１６４を実行した制御部１１は、証明写真画像Ｐの横方向における中心が、方眼紙画像Ｑ中の縦の太罫線Ｌ１１に略一致してプリントされるように、証明写真画像データを方眼紙画像データに貼り付けることができるため、横センタリングマークＡから切取位置までの目盛りが数え易い。
【００７６】
また、合成プログラム１６４を実行した制御部１１は、証明写真画像Ｐの縁部Ｐａ，…が、方眼紙画像Ｑ中の縦の罫線Ｌ１及び横の罫線Ｌ２に略一致してプリントされるように、証明写真画像データを方眼紙画像データに貼り付けることができるため、証明写真画像Ｐの縁部Ｐａから切取位置までの目盛りが数え易い。
【００７７】
また、方眼紙画像データには、証明写真画像Ｐの縦方向における中心を示す位置にプリントされる縦センタリングマークＢ，…に関するデータが含まれているため、被撮影者Ｍ等は、証明写真画像Ｑの縦方向における切取位置を容易に定めることができる。
【００７８】
また、付与プログラム１６５を実行した制御部１１によって、方眼紙画像データに、証明写真画像Ｑの切取サイズに応じた位置にプリントされる切取位置マークＣ，…に関する切取位置マークデータを付与することができるため、切取位置を定める際に目盛りを数える必要がなくなって、利便性が高い。
【００７９】
また、被撮影者Ｍによる操作部７０の操作によって、切取サイズを指定することができ、付与プログラム１６５を実行した制御部１１は、被撮影者Ｍによる操作部７０の操作により指定された切取サイズに応じた位置にプリントされる切取位置マークＣ，…に関する切取位置マークデータを、方眼紙画像データに付与することができるため、被撮影者Ｍ所望の切取位置に切取位置マークＣ，…がプリントされることとなって、使い勝手がよい。
【００８０】
また、付与プログラム１６５を実行した制御部１１は、切取サイズが複数の場合には、プリントされた切取位置マークＣ，…が切取サイズ毎に識別可能となるような切取位置マークデータを、方眼紙画像データに付与することができるため、被撮影者Ｍによる切取位置マークＣ，…の見誤りを防止することができることとなって、より使い勝手がよい。
【００８１】
また、付与プログラム１６５を実行した制御部１１によって、方眼紙画像データに、証明写真画像Ｐにおける被撮影者Ｍの顔範囲を示す位置にプリントされる顔範囲マークＤ，…に関する顔範囲マークデータを、方眼紙画像データに付与することができるため、証明写真画像Ｐを切り取る際に、被撮影者Ｍが顔部分を誤って切ってしまうことを防止することができることとなって、より一層使い勝手がよい。
【００８２】
また、方眼紙画像データには、証明写真画像Ｐのサイズに応じた複数のフォーマットがあり、被撮影者Ｍによる操作部７０の操作によって、証明写真画像Ｐのサイズに応じて、当該複数ある方眼紙画像データのフォーマットの中から一のフォーマットを選択することができ、合成プログラム１６４を実行した制御部１１は、証明写真画像データを、被撮影者Ｍによる操作部７０の操作によって選択された一のフォーマットに対応する方眼紙画像データに貼り付けて合成した合成画像データを生成することができる。したがって、様々な用途に対応するこことができることとなって、より利便性が高い。
【００８３】
なお、本発明は、上記した実施の形態のものに限るものではなく、その要旨を逸脱しない範囲で適宜変更可能である。
切取位置マークＣ，…が識別可能となるように、切取サイズ毎に形状を変えるようにしたが、例えば、切取サイズ毎に色等を変えるようにしてもよい。
【００８４】
また、顔画像データから被撮影者Ｍの生体情報（例えば、目と目の間隔等）を抽出し、これを利用して被撮影者Ｍの顔の横方向における中心位置を検出するようにしてもよい。
【００８５】
被撮影者Ｍによる操作部７０の操作によって、任意の切取サイズを指定できるようにしてもよい。
【図面の簡単な説明】
【００８６】
【図１】本発明にかかる証明写真撮影装置を示す透視図である。
【図２】本発明にかかる証明写真撮影装置の機能的構成を示すブロック図である。
【図３】履歴書・証明用の証明写真画像のサイズに応じた方眼紙画像データに基づく方眼紙画像を示す図である。
【図４】パスポート用の証明写真画像のサイズに応じた方眼紙画像データに基づく方眼紙画像を示す図である。
【図５】免許証・証明用の証明写真画像のサイズに応じた方眼紙画像データに基づく方眼紙画像を示す図である。
【図６】中型・大型証明用の証明写真画像のサイズに応じた方眼紙画像データに基づく方眼紙画像を示す図である。
【図７】証明写真画像の横方向における中心と、証明写真画像の縦方向における中心と、証明写真画像の縁部と、左顔エッジを示す位置と、右顔エッジを示す位置と、頭頂部を示す位置と、下顎部を示す位置と、を説明するための図である。
【図８】所定の用紙にプリントされた、履歴書・証明用の証明写真画像と、履歴書・証明用の証明写真画像のサイズに応じた方眼紙画像データに基づく方眼紙画像と、切取位置マークと、顔範囲マークと、を含む、合成画像を示す図である。
【図９】所定の用紙にプリントされた、パスポート用の証明写真画像と、パスポート用の証明写真画像のサイズに応じた方眼紙画像データに基づく方眼紙画像と、切取位置マークと、顔範囲マークと、を含む、合成画像を示す図である。
【図１０】所定の用紙にプリントされた、免許証・証明用の証明写真画像と、免許証・証明用の証明写真画像のサイズに応じた方眼紙画像データに基づく方眼紙画像と、切取位置マークと、顔範囲マークと、を含む、合成画像を示す図である。
【図１１】所定の用紙にプリントされた、中型・大型証明用の証明写真画像と、中型・大型証明用の証明写真画像のサイズに応じた方眼紙画像データに基づく方眼紙画像と、切取位置マークと、顔範囲マークと、を含む、合成画像を示す図である。
【図１２】「写真の大きさ選択画面」を示す図である。
【図１３】「用途選択画面（履歴書用）」を示す図である。
【図１４】「用途選択画面（中型・大型用）」を示す図である。
【図１５】本発明にかかる証明写真撮影装置による証明写真の撮影に関する処理について説明するためのフローチャートである。
【符号の説明】
【００８７】
１  証明写真撮影装置
１１  制御部（撮影手段、検出手段、センタリング手段、合成手段、切取位置マークデータ付与手段、顔範囲マークデータ付与手段）
３０  デジタルカメラ（撮影手段）
７０  操作部（指定手段、選択手段）
８０  プリンタ部（プリント手段）
１６１  撮影プログラム（撮影手段）
１６２  検出プログラム（検出手段）
１６３  センタリングプログラム（センタリング手段）
１６４  合成プログラム（合成手段）
１６５  付与プログラム（切取位置マークデータ付与手段、顔範囲マークデータ付与手段）
Ａ  横センタリングマーク
Ｂ  縦センタリングマーク
Ｃ  切取位置マーク
Ｄ  顔範囲マーク
Ｌ１  縦の罫線
Ｌ１１  縦の太罫線
Ｌ１２  縦の細罫線
Ｌ２  横の罫線
Ｍ  被撮影者
Ｐ  証明写真画像
Ｐａ  縁部
Ｑ  方眼紙画像
Ｒ  合成画像
Ｔ  用紙
【図１】
2007241793.tif 000003
【図２】
2007241793.tif 000004
【図３】
2007241793.tif 000005
【図４】
2007241793.tif 000006
【図５】
2007241793.tif 000007
【図６】
2007241793.tif 000008
【図７】
2007241793.tif 000009
【図８】
2007241793.tif 000010
【図９】
2007241793.tif 000011
【図１０】
2007241793.tif 000012
【図１１】
2007241793.tif 000013
【図１２】
2007241793.tif 000014
【図１３】
2007241793.tif 000015
【図１４】
2007241793.tif 000016
【図１５】
2007241793.tif 000017